(57)【要約】【課題】複数の動作部材が動作する場合であっても、効果的に稼動音を低減することが可能な画像形成装置を提供することを目的とする。【解決手段】モータ４０，４２，４４，４６のそれぞれをモータ駆動部５５により駆動して転写ローラ１６，１８，２０，２２を上方に移動させる。これに伴い、中間転写ベルト１２が作像部３０，３２，３４，３６の感光体から離れることになる。本例においては、転写ローラ１６，１８，２０，２２をそれぞれ順番に上方に移動させる。【選択図】図５
2012108241.tif 000002
【特許請求の範囲】
【請求項１】
画像を作成するための画像形成装置であって、
通常モードから前記画像形成装置の稼動音の低減のために静音モードへ切り替える静音モード切換入力手段と、
各々が異なる色のトナー像を生成することが可能な複数の作像部と、
転写ベルトと、
前記複数の作像部にそれぞれ対応して設けられ、前記転写ベルトを押圧して前記転写ベルトと対応する作像部とを圧接状態として前記形成されたトナー像を前記転写ベルトに転写するための複数の転写ローラと、
前記複数の転写ローラを移動させることにより、前記転写ベルトを押圧して前記複数の作像部と前記転写ベルトとを圧接状態または前記転写ベルトの押圧を解除して前記複数の作像部と前記転写ベルトとを離間状態にする駆動部と、
前記通常モードにおいては、前記複数の転写ローラを同時に移動させ、前記静音モードにおいては、前記複数の転写ローラのタイミングをずらして移動させる制御部とを備えた、画像形成装置。
【請求項２】
前記駆動部は、前記静音モードにおいて、前記複数の転写ローラを移動させる際に、通常モードでの移動速度よりも遅い速度で移動させる、請求項１記載の画像形成装置。
【請求項３】
前記駆動部は、前記複数の転写ローラを１つずつ移動させる、請求項１または２記載の画像形成装置。
【請求項４】
前記駆動部は、前記複数の転写ローラのうちの２以上の転写ローラを同時に移動させる、請求項１または２記載の画像形成装置。
【請求項５】
前記駆動部は、前記転写ベルトに対する画像の転写動作が完了した時点で、前記複数の転写ローラを離間方向へ順次移動させる、請求項１〜４のいずれかに記載の画像形成装置。
【請求項６】
前記転写ベルトの回転速度を変更するための回転速度変更手段をさらに備え、
前記制御部は、移動動作が終了した後に前記転写ベルトの速度を低減させる、請求項５記載の画像形成装置。
【請求項７】
前記制御部は、前記転写ベルトの速度を変更した後に、前記複数の転写ローラを押圧方向へ順次移動させる、請求項６記載の画像形成装置。
【請求項８】
前記制御部は、前記通常モードにおいて、カラー画像の作成の次に、モノクロ画像の作成が指示された場合には、圧接状態である前記複数の作像部のうちの所定の作像部と前記転写ベルトとの位置関係を維持し、その他の作像部と前記転写ベルトとを離間状態とするために、前記複数の転写ローラのうちの前記所定の作像部に対応する転写ローラ以外の転写ローラを離間方向へ同時に移動させるとともに、
前記制御部は、前記静音モードにおいて、カラー画像の作成の次に、モノクロ画像の作成が指示された場合には、前記所定の作像部に対応する転写ローラ以外の転写ローラをタイミングをずらして離間方向へ順次移動させる、請求項１〜７のいずれかに記載の画像形成装置。
【請求項９】
前記制御部は、前記通常モードにおいて、モノクロ画像の作成の次に、カラー画像の作成が指示された場合には、圧接状態である前記複数の作像部のうちの所定の作像部と前記転写ベルトとの位置関係を維持し、その他の作像部と前記転写ベルトとを圧接状態とするために、前記複数の転写ローラのうちの前記所定の作像部に対応する転写ローラ以外の転写ローラを前記転写ベルトに押圧方向へ同時に移動させ、
前記制御部は、前記静音モードにおいて、モノクロ画像の作成の次に、カラー画像の作成が指示された場合には、前記所定の作像部に対応する転写ローラ以外の転写ローラをタイミングをずらして押圧方向へ順次移動させる、請求項１〜８のいずれかに記載の画像形成装置。
【発明の詳細な説明】
【技術分野】
【０００１】
この発明は、特に稼動音の低音技術を採用した画像形成装置に関する。
【背景技術】
【０００２】
従来より、記録媒体上に画像を形成するプリンタや複写機が知られている。
これらプリンタや複写機に代表される画像形成装置には、トナー画像を形成し、そのトナー画像を定着器により加熱および加圧することで記録媒体上に定着させて記録媒体上に画像を形成するものがある。
【０００３】
この様な画像形成装置には、定着器から発生する熱を、装置の筐体の一部に設けられた排気口から筐体外に排出するための排気ファンや、記録用紙を搬送するためのローラなど、様々な動作部材が配備されている。
【０００４】
近年では、装置内に配備されているこれら動作部材が動作することで発生する稼動音が騒音源として問題視される場面がある。
【０００５】
特開２００７−３３５６９号公報および特開２００８−１４７８１３号公報においては、周囲の環境音に合わせた動作を実行する方式が開示されており、環境音が所定の音量以下であるような場合に、稼動音の低減を図る方式が開示されている。
【先行技術文献】
【特許文献】
【０００６】
【特許文献１】特開２００７−３３５６９号公報
【特許文献２】特開２００８−１４７８１３号公報
【発明の概要】
【発明が解決しようとする課題】
【０００７】
一方で、電話の呼び出しに対する応答や、緊急放送等に対して、騒音源である装置の稼動音をすぐに低減する方式が求められるが、上記の特許文献は、環境音に合わせて動作するものであり、即座に稼動音を低減するものではない。
【０００８】
特に、即座に稼動音を低減させたい場合に、複数の動作部材が一斉に動作すると稼動音が大きくなり問題となる場合がある。
【０００９】
本発明は、上記のような問題を解決するためになされたものであって、複数の動作部材が動作する場合であっても、効果的に稼動音を低減することが可能な画像形成装置を提供することを目的とする。
【課題を解決するための手段】
【００１０】
本発明のある局面に従う画像形成装置は、画像を作成するための画像形成装置であって、通常モードから画像形成装置の稼動音の低減のために静音モードへ切り替える静音モード切換入力手段と、各々が異なる色のトナー像を生成することが可能な複数の作像部と、転写ベルトと、複数の作像部にそれぞれ対応して設けられ、転写ベルトを押圧して転写ベルトと対応する作像部とを圧接状態として形成されたトナー像を転写ベルトに転写するための複数の転写ローラと、複数の転写ローラを移動させることにより、転写ベルトを押圧して複数の作像部と転写ベルトとを圧接状態または転写ベルトの押圧を解除して複数の作像部と転写ベルトとを離間状態にする駆動部と、通常モードにおいては、複数の転写ローラを同時に移動させ、静音モードにおいては、複数の転写ローラのタイミングをずらして移動させる制御部とを備える。
【００１１】
好ましくは、駆動部は、静音モードにおいて、複数の転写ローラを移動させる際に、通常モードでの移動速度よりも遅い速度で移動させる。
【００１２】
好ましくは、駆動部は、複数の転写ローラを１つずつ移動させる。
好ましくは、駆動部は、複数の転写ローラのうちの２以上の転写ローラを同時に移動させる。
【００１３】
好ましくは、駆動部は、転写ベルトに対する画像の転写動作が完了した時点で、複数の転写ローラを離間方向へ順次移動させる。
【００１４】
特に、転写ベルトの回転速度を変更するための回転速度変更手段をさらに備え、制御部は、移動動作が終了した後に転写ベルトの速度を低減させる。
【００１５】
特に、制御部は、転写ベルトの速度を変更した後に、複数の転写ローラを押圧方向へ順次移動させる。
【００１６】
好ましくは、制御部は、通常モードにおいて、カラー画像の作成の次に、モノクロ画像の作成が指示された場合には、圧接状態である複数の作像部のうちの所定の作像部と転写ベルトとの位置関係を維持し、その他の作像部と転写ベルトとを離間状態とするために、複数の転写ローラのうちの所定の作像部に対応する転写ローラ以外の転写ローラを離間方向へ同時に移動させるとともに、制御部は、静音モードにおいて、カラー画像の作成の次に、モノクロ画像の作成が指示された場合には、所定の作像部に対応する転写ローラ以外の転写ローラをタイミングをずらして離間方向へ順次移動させる。
【００１７】
好ましくは、制御部は、通常モードにおいて、モノクロ画像の作成の次に、カラー画像の作成が指示された場合には、圧接状態である複数の作像部のうちの所定の作像部と転写ベルトとの位置関係を維持し、その他の作像部と転写ベルトとを圧接状態とするために、複数の転写ローラのうちの所定の作像部に対応する転写ローラ以外の転写ローラを転写ベルトに押圧方向へ同時に移動させ、制御部は、静音モードにおいて、モノクロ画像の作成の次に、カラー画像の作成が指示された場合には、所定の作像部に対応する転写ローラ以外の転写ローラをタイミングをずらして押圧方向へ順次移動させる。
【発明の効果】
【００１８】
本発明の画像形成装置における制御部は、通常モードにおいては、複数の転写ローラを同時に移動させ、静音モードにおいては、複数の転写ローラのタイミングをずらして移動させる。したがって、離間状態とする際に生じる大きな稼動音の発生を抑制することが可能となり、効果的に稼動音を低減することが可能である。
【図面の簡単な説明】
【００１９】
【図１】本発明の実施の形態１に従う画像形成装置１の構成を説明する図である。
【図２】本発明の実施の形態１に従う画像形成装置１の概略ブロック図である。
【図３】本発明の実施の形態１に従う画像形成装置１の入力部１００に含まれる操作ディスプレイ１０１について説明する図である。
【図４】本発明の実施の形態１に従う画像形成部１５０の転写ローラの圧接を説明する図である。
【図５】本発明の実施の形態１に従う画像形成部１５０の転写ローラの離間を説明する図である。
【図６】本発明の実施の形態１に従う画像形成部１５０の作像動作の流れを説明するフロー図である。
【図７】本発明の実施の形態１に従う離間動作について説明するフロー図である。
【図８】本発明の実施の形態１に従う通常時と静音モード時との転写ローラの離間動作の速度を制御する場合を説明する図である。
【図９】本発明の実施の形態１に従う圧接動作について説明するフロー図である。
【図１０】本発明の実施の形態１の変形例に従う画像形成部１５０の転写ローラの圧接および離間を説明する図である。
【図１１】本発明の実施の形態１の変形例に従う離間動作について説明するフロー図である。
【図１２】本発明の実施の形態２に従う画像形成部１５０の作像動作の流れを説明するフロー図である。
【発明を実施するための形態】
【００２０】
以下に、図面を参照しつつ、本発明の実施の形態について説明する。以下の説明では、同一の部品および構成要素には同一の符号を付してある。それらの名称および機能も同じである。
【００２１】
（実施の形態１）
図１は、本発明の実施の形態１に従う画像形成装置１の構成を説明する図である。
【００２２】
図１を参照して、画像形成装置１は複写機を構成し、複数の稼動部で構成される。本例においては、画像形成に係る部品が示されておりカラー画像を形成することが可能である。給紙カセット２００，２０２には、それぞれサイズの異なる記録用紙が収納される。例えば、Ａ４サイズ、Ａ５サイズ等があげられる。なお、同じサイズであっても良い。
【００２３】
例えば、給紙カセット２００から給紙する場合について説明する。給紙カセット２００には、ピックアップローラ群２１２が設けられ、給紙カセット２００に収納された記録用紙を画像形成のために搬送する。ここで、給紙センサ２１０が設けられ、当該給紙センサ２１０で記録用紙を検知して搬送のタイミング等が制御される。
【００２４】
そして、給紙カセット２００から搬送された記録用紙は、搬送ローラ６０を介して転写部に搬送される。その際、転写前センサ６１により記録用紙が検知されて、搬送のタイミング等が制御される。また、本例においては、外部から手差しで手差し記録用紙を挿入することが可能であり、手差しローラ６２により手差し記録用紙が装置内に搬入される。そして、搬送ローラ６０を介して転写部に搬送される。
【００２５】
また、本例において、画像形成装置１には、記録用紙の両面に画像を形成するための搬送経路ユニット２２０が設けられている。搬送経路ユニット２２０には、複数の搬送ローラおよびセンサが設けられており、当該部品を介して、例えば、記録用紙の表面に画像を形成した後、記録用紙の裏面に画像を形成するために当該搬送経路ユニット２２０を介して再び、搬送ローラ６０に記録用紙が搬送される。
【００２６】
次に、画像形成部について説明する。本例においては、タンデム型のカラー複写機が示されており、イエロー、マゼンタ、シアン、ブラックのそれぞれの色を用いてカラープリントが可能である。具体的には、各色に対応して、感光体を備えた作像部３０，３２，３４，３６が設けられている。各作像部は同じ構成であるため作像部３０のみについて詳細に説明する。
【００２７】
作像部３０は、感光体３０ａの回転方向に沿って順に、クリーニング装置３０ｄ、帯電装置３０ｃ、図示しない露光装置、現像装置３０ｂを有している。
【００２８】
帯電装置３０ｃは、感光体３０ａの表面を一様に帯電させる装置である。図示しない露光装置は、帯電装置３０ｃによって帯電された感光体３０ａの表面に光を照射し、感光体３０ａ上に静電潜像を形成する装置である。現像装置３０ｂは、感光体３０ａの静電潜像を現像する装置である。クリーニング装置３０ｄは、感光体３０ａ上に残留したトナー等をクリーニングする装置である。
【００２９】
作像部３０で形成されたイエローの画像は、転写ローラによって中間転写ベルト１２に１次転写される。なお、中間転写ベルト１２は、ローラ１０，１４に懸架されており当該ローラが回転することにより中間転写ベルト１２が移動して、中間転写ベルト１２とともに作像部から転写された画像が移動する。同様に、作像部３２で形成されたマゼンタの画像は、中間転写ベルト１２に転写される。また、同様に、作像部３４で形成されたシアンの画像は、中間転写ベルト１２に転写される。また、同様に、作像部３６で形成されたブラックの画像は、中間転写ベルト１２に転写される。これらの各色の作像部で形成された画像をそれぞれ中間転写ベルト１２を移動させて重ね合わせることにより中間転写ベルト１２にカラー画像が形成される。そして、中間転写ベルト１２上に形成されたカラー画像は、２次転写部に移動する。そして、２次転写位置において、記録用紙を間に挟んで中間転写ベルト１２に転写ローラ２４を圧接して、記録用紙にカラー画像を転写する。そして、イエローの作像部３０の近傍に設けられたクリーニング装置１１によって中間転写ベルト１２上の残留トナーがクリーニングされる。
【００３０】
また、中間転写ベルト１２上に形成された画像の濃度を検知するためのＩＤＣセンサ３８が設けられており、当該ＩＤＣセンサ３８の検知結果に基づいて画像の濃度が調整される。なお、本例においては、後述するように当該ＩＤＣセンサ３８を用いて画像の有無の検知にも利用される。
【００３１】
そして、記録用紙に転写されたカラー画像は定着部４０に搬送される。定着部４０に搬送される前には、定着前センサ６３が設けられ、当該定着前センサ６３で記録用紙を検知して定着部４０に搬送されるタイミング等が制御される。そして、定着部４０における定着後、定着後センサ６４により排出のタイミング等が制御される。画像形成装置１の排出側には排出ローラ６５が設けられ、定着部４０における定着後の記録用紙が外部に排出される。また、排出ローラ６５は、搬送経路ユニット２２０に搬送するローラとしても機能する。具体的には、両面に画像を形成する場合には、排出ローラ６５に搬送された記録用紙は、今度は、搬送経路ユニット２２０に搬送される。
【００３２】
図２は、本発明の実施の形態１に従う画像形成装置１の概略ブロック図である。
図２を参照して、ここでは、画像形成装置１の全体を制御する制御部５０に、記録用紙を給紙する給紙カセット２００，２０２と、操作ディスプレイ等を含む入力部１００と、画像を形成するための画像形成部１５０と、メモリ７０と、定着部４０とが接続される。
【００３３】
メモリ７０は、制御部５０のワークエリアとしての領域また、画像データ等を格納する領域として用いられる。
【００３４】
制御部５０は、例えば、ＣＰＵ（Central Processing unit）で構成され、メモリ７０に格納された種々のアプリケーションプログラムを読み込んで、各部を制御する。
【００３５】
定着部４０は、図示しないヒータを制御して記録用紙に転写されたカラー画像であるトナー粒子を記録用紙に溶着する。
【００３６】
画像形成部１５０については、後で詳述するが各色に対応する作像部および各種ローラで構成され、記録用紙に転写する画像を形成する。
【００３７】
図３は、本発明の実施の形態１に従う画像形成装置１の入力部１００に含まれる操作ディスプレイ１０１について説明する図である。
【００３８】
図３を参照して、操作ディスプレイ１０１は、表示部１０２と、各種モード設定ボタン１０４と、１０キー１０６と、スタートボタン１０８と、静音ボタン１１０とを含む。
【００３９】
表示部１０２上にはタッチパネルが設けられており、表示部１０２上において所定の操作が可能である。
【００４０】
静音ボタン１１０は、当該静音ボタン１１０の押下に応答して後述する本発明の実施の形態に従う静音モードを実現する。
【００４１】
１０キー１０６は、コピー等の枚数を入力するためのボタンである。スタートボタン１０８は、コピー等の処理の実行を指示するボタンである。
【００４２】
また、表示部１０２には、各種モードの表示やその他の表示が行われる。
各種モード設定ボタン１０４は、ＦＡＸ機能等を利用するために切り替えるためのボタンである。
【００４３】
ここで、画像形成装置の騒音を低減させる際には、用紙の搬送速度を通常モードよりも低減させることが考えられるが、画像形成動作中に用紙搬送速度を変えることは難しい。例えば、カラー画像が形成可能なタンデム形式の画像形成装置の場合、中間転写ベルトと感光体とが接触した状態で同時に両者の速度を変更すると、複数の感光体ドラムと中間転写ベルトとが互いに摺動し、中間転写ベルトが磨耗してしまう。中間転写ベルトの磨耗を避けるため、用紙の搬送速度を変更する場合には、１次転写ローラを中間転写ベルトから離間させてから中間転写ベルトおよび搬送ローラの速度を変更するようにしている。
【００４４】
以下に、中間転写ベルト１２から１次転写ローラ１６，１８，２０，２２を離間又は、中間転写ベルト１２に１次転写ローラ１６，１８，２０，２２が押圧するように１次転写ローラ１６，１８，２０，２２を移動させる動作について説明する。
【００４５】
図４は、本発明の実施の形態１に従う画像形成部１５０の転写ローラの圧接を説明する図である。
【００４６】
図４を参照して、ここでは、複数の作像部３０，３２，３４，３６とともに、中間転写ベルト１２との位置関係が示されており、圧接動作が実行された場合について説明する。
【００４７】
具体的には、モータ４０，４２，４４，４６のそれぞれをモータ駆動部５５により駆動して転写ローラ１６，１８，２０，２２を下方に移動させる。そして、中間転写ベルト１２を押し下げて、中間転写ベルト１２を間に挟んで作像部３０，３２，３４，３６のそれぞれの感光体に対して転写ローラ１６，１８，２０，２２を押圧した状態が示されている。
【００４８】
当該状態で作像部３０，３２，３４，３６をそれぞれ駆動することによりイエロー、マゼンタ、シアン、ブラックのそれぞれの作像された画像が感光体上に形成され、転写ローラによって中間転写ベルト１２上に転写される。
【００４９】
図５は、本発明の実施の形態１に従う画像形成部１５０の転写ローラの離間を説明する図である。
【００５０】
図５を参照して、ここでは、複数の作像部３０，３２，３４，３６とともに、中間転写ベルト１２との位置関係が示されており、離間動作が実行される場合について説明する。
【００５１】
具体的には、モータ４０，４２，４４，４６のそれぞれをモータ駆動部５５により駆動して転写ローラ１６，１８，２０，２２を上方に移動させる。なお、転写ローラ１６，１８，２０，２２を移動させる構成としては、例えば、転写ローラが接続されたラックとモータに取り付けられたピニオンギアとを用いた構成がある。これに伴い、中間転写ベルト１２が作像部３０，３２，３４，３６の感光体から離れることになる。なお、本例においては、既に転写ローラ１６，１８，２０が上方に移動して、中間転写ベルト１２と作像部３０，３２，３４の感光体とが離れた場合が示されている。
【００５２】
なお、本例においては、転写ローラ１６等が上方に移動して、中間転写ベルト１２から作像部および転写ローラが離間する場合について説明しているが、さらに、２次転写する転写ローラ２４もモータ駆動部５５の指示に従ってモータ２５により移動して転写位置から離間するものとする。
【００５３】
以下に、本発明の実施の形態１に従う画像形成部１５０の作像動作について説明する。
図６は、本発明の実施の形態１に従う画像形成部１５０の作像動作の流れを説明するフロー図である。具体的には、制御部５０がメモリ７０に格納されたプログラムを読み込むことにより実現するものとする。
【００５４】
図６を参照して、まず、制御部５０は、プリントスタートが実行されたかどうかを判断する（ステップＳ２）。具体的には、操作ディスプレイ１０１においてプリントに関する各種の設定を受け付けるとともに、スタートボタン１０８が押下されたか否かに基づいて判断される。
【００５５】
次に、制御部５０は、プリントスタートが実行されたと判断した場合（ステップＳ２においてＹＥＳ）には、次に、静音化指示が有ったかどうかを判断する（ステップＳ４）。具体的には、上述した図３の操作ディスプレイ１０１における静音ボタン１１０の押下が有ったかどうかを判断する。本例において、制御部５０は、静音ボタン１１０の入力があった場合（ステップＳ４においてＹＥＳ）には、ステップＳ８に進む。
【００５６】
一方、ステップＳ４において静音化指示がなかった場合（ステップＳ４においてＮＯ）には、通常の動作でプリントする（ステップＳ５）。
【００５７】
次に、プリント残枚数がないかどうかを判断する（ステップＳ６）。ステップＳ６においてプリント残枚数がないと判断した場合（ステップＳ６においてＹＥＳ）には、処理を終了する（エンド）。一方、プリント残枚数があると判断した場合（ステップＳ６においてＮＯ）には、ステップＳ４に戻り、静音化指示が有ったかどうかを判断し、静音化指示が無い場合には、通常の動作でプリントを継続する。そして、プリント残枚数がなくなるまで当該処理を繰り返す。
【００５８】
一方、静音ボタン１１０の入力が有った場合（ステップＳ４においてＹＥＳ）には、その時点におけるプリント残枚数が所定数以上であるかどうかを判断する（ステップＳ８）。ステップＳ８において、プリント残枚数が所定枚数未満であると判断した場合（ステップＳ８においてＮＯ）には、通常の動作でプリントする（ステップＳ５）。例えば、プリント残枚数が残りわずかであるような場合には、静音モードに切り替えて動作させるよりも通常時の動作でプリントを継続させた方が効率的に望ましいと考えられるからである。なお、本例においては、プリント残枚数を見て、当該枚数に基づいて、静音モードで動作させるか、通常時で動作させるかを切り替える方式について説明しているが、ステップＳ８の判断を行わず、直接ステップＳ１０に進むようにしても良い。一例として、所定枚数として５枚程度に設定することが可能である。
【００５９】
一方、ステップＳ８において、プリント残枚数が所定数以上であると判断した場合（ステップＳ８においてＹＥＳ）には、次ページの画像について作像中であるかどうかを判断する（ステップＳ１０）。本例においては、タンデム方式の作像部で構成されているため現在ページの画像の作像中に次ページの画像の作像も同時に実行することが可能である。例えば、現在ページについて、ブラックの画像を作像中に、次ページのイエローの画像の作像が同時に実行されている場合が考えられる。
【００６０】
ステップＳ１０において、次ページの画像について作像中で有る場合（ステップＳ１０においてＹＥＳ）、すなわち、次ページのイエローの画像を作像する動作を作像部３０が既に開始又は作像する動作が終了している場合には、次ページの画像のさらに次の画像についての作像動作を行わないようにする（ステップＳ１１）。そして、次の画像の作像が終了しているか、すなわち、次ページのブラックの画像の作像が終了しているかが判断される（ステップＳ１２）。次ページのブラックの画像の作像が終了すると（ステップＳ１２においてＹＥＳ）、次に離間動作を実行する（ステップＳ１６）。なお、作像動作を行っている期間は減速させずに通常モードの速度で作像を行う。
【００６１】
ステップＳ１０において、次ページの画像について作像中でない場合（ステップＳ１０においてＮＯ）、すなわち次ページのイエローの画像を作像する動作を作像部３０が未だ開始しておらず、且つ次ページのイエローの画像の作像が終了していない場合には、次の画像についての作像動作を行わないようにする（ステップＳ１３）。そして、現在の画像の作像が終了しているか、すなわち現在のブラックの画像の作像が終了しているかが判断される（ステップＳ１４）。現在のブラックの画像の作像が終了すると（ステップＳ１４においてＹＥＳ）、次に離間動作を実行する（ステップＳ１６）。なお、作像動作を行っている期間は減速させずに通常モードの速度で作像を行う。
【００６２】
図７は、本発明の実施の形態１に従う離間動作について説明するフロー図である。
図７を参照して、まず、ＩＤＣセンサにて画像を検知したかどうかを判断する（ステップＳ３２）。すなわち、中間転写ベルト１２上に作像した画像をＩＤＣセンサ３８で検知したかどうかを判断する。本例においては、画像の濃度を検知するＩＤＣセンサ３８を用いて画像の有無を検知する。
【００６３】
ステップＳ３２において、ＩＤＣセンサ３８にて画像を検知していないと判断した場合（ステップＳ３２においてＮＯ）には、待機する。
【００６４】
ステップＳ３２において、ＩＤＣセンサ３８にて画像を検知した場合（ステップＳ３２においてＹＥＳ）には、次に、２次転写する転写ローラの離間動作を実行する（ステップＳ３４）。具体的には、モータ２５による転写ローラ２４の離間動作を実行する。当該動作により、中間転写ベルト１２上に作像した画像を転写位置に搬送した際に、転写ローラ２４と接触して画像が乱れたりすることを防止することができる。
【００６５】
そして、次に、１次転写する転写ローラの離間動作を実行する（ステップＳ３６）。具体的には、転写ローラ１６，１８，２０，２２をそれぞれ１つずつタイミングをずらして順番に上方に移動させる。より詳細には、感光体上の画像が中間転写ベルト１２に対して転写された時点で対応する色の転写ローラが中間転写ベルト１２から離間するようになっている。当該１次転写する転写ローラの離間動作によりＩＤＣセンサ３８を通過した作像した画像が転写ローラ１６等とそれぞれ接触せず、作像した画像が消えることなく中間転写ベルト１２上に作像された状態を維持することが可能である。
【００６６】
そして、離間動作の処理を終了する（リターン）。
ここで、複数のカラー印字動作を含むジョブを作像している場合、４色目の画像を形成し終えた後には、１色目の画像形成動作を行っている。複数のカラー印字動作からなるジョブを作像している最中に静音モード移行指示があった場合には、いずれかの時点で１次転写ローラを中間転写ベルトから離間させる必要があるが、いつのタイミングでもいずれかの作像部が作像していることとなる。
【００６７】
このため、どのタイミングであっても、少なくとも１つは画像が中間転写ベルト上に存在していることとなる。中間転写ベルト上の画像を用紙に転写したあとに、１次転写ローラを転写ベルトから離間させることも考えられるが、この場合には、４色目の現像位置から２次転写位置まで画像の後端が移動する間、用紙搬送速度を低減させるのを待つ必要があり、静音モードに移行するのがその分遅くなる。
【００６８】
このため、本実施の形態では、最も早いタイミングで静音モードに移行できるように、静音モード移行指示があった時点で、作像中の画像は用紙に転写せず、一時的に中間転写ベルト１２上に担持させる。そして、４色目（ブラック）の画像が作像された時点で４色目（ブラック）の作像部３６の転写ローラ２２を中間転写ベルト１２から離間している。なお、本発明はこれに限られず、上記のように中間転写ベルト１２上の画像を用紙に転写した後に、用紙搬送速度を低減させるようにしても良い。
【００６９】
図８は、本発明の実施の形態１に従う通常時と静音モード時との転写ローラの離間動作の速度を制御する場合を説明する図である。なお、図８においては１つの転写ローラの制御について示している。
【００７０】
図８を参照して、ここでは、モータに印加する電圧が示されている。
通常時には、２４Ｖの電圧を印加してモータを高速回転させて離間動作を実行する。
【００７１】
一方、静音モード時には、１５Ｖの電圧を印加してモータを回転させて離間動作を実行する。
【００７２】
本例においては、動作指示があってから通常時には１００ｍｓで離間動作が完了する場合と、静音モード時には、３００ｍｓで離間動作が完了する場合とが示されている。すなわち、ゆっくりと離間動作を実行することにより稼動音を低く抑える。
【００７３】
再び、図６を参照して、次に、中間転写ベルトのスピードを調整する（ステップＳ２０）。画像の作像の動作速度を通常時よりも低速の速度にすることにより、さらに静音化を図ることが可能となる。なお、通常の動作速度および静音モードの動作速度のデータは、予めメモリ７０にそれぞれ格納されており、制御部５０は、当該データを参照して中間転写ベルトのスピードを調整するように図示しない中間転写ベルトの駆動部に指示するものとする。また、転写ローラは、離間動作により離間しているため転写ローラとの摩擦による中間転写ベルトのスピードの調整むらを抑制し、適切なスピードに調整することが可能である。
【００７４】
次に、圧接動作を実行する（ステップＳ２４）。
図９は、本発明の実施の形態１に従う圧接動作について説明するフロー図である。
【００７５】
図９を参照して、ＩＤＣセンサにて画像を検知してから第１の期間が経過したかどうかを判断する（ステップＳ４０）。
【００７６】
ステップＳ４０において、ＩＤＣセンサにて画像を検知してから第１の期間が経過した場合（ステップＳ４０においてＹＥＳ）には、２次転写する転写ローラの圧接動作を実行する（ステップＳ４２）。具体的には、モータ２５による転写ローラ２４の圧接動作を実行する。第１の期間としては、中間転写ベルト１２のスピードの調整が完了した後のタイミングとなるように、適切な期間に設定される。
【００７７】
次に、ＩＤＣセンサにて画像を検知してから第２の期間が経過したかどうかを判断する（ステップＳ４３）。
【００７８】
ステップＳ４３において、第２の期間が経過したと判断した場合（ステップＳ４３においてＹＥＳ）には、１次転写ローラの圧接動作（Ｙ、Ｍ、Ｃ、Ｋ順番に）を実行する（ステップＳ４４）。一方、ステップＳ４３において、第２の期間が経過していないと判断した場合（ステップＳ４３においてＮＯ）には、ステップＳ４３を維持する。
【００７９】
この第２の期間は、１次転写する転写ローラが中間転写ベルト１２上に作像された画像と接触しないタイミングに設定される。すなわち、それぞれの転写ローラについてこの第２の期間は異なる。具体的には、中間転写ベルト１２上に作像された画像が搬送されて、転写ローラ１６と作像部３０の感光体とが中間転写ベルト１２を間に挟んで転写する転写位置を通過した後に圧接動作が実行されるタイミングとなるように、適切な期間に設定される。
【００８０】
同様に、中間転写ベルト１２上に作像された画像が搬送されて、転写ローラ１８と作像部３２の感光体とが中間転写ベルト１２を間に挟んで転写する転写位置を通過した後に圧接動作が実行されるタイミングとなるように、適切な期間に設定される。
【００８１】
同様に、中間転写ベルト１２上に作像された画像が搬送されて、転写ローラ２０と作像部３４の感光体とが中間転写ベルト１２を間に挟んで転写する転写位置を通過した後に圧接動作が実行されるタイミングとなるように、適切な期間に設定される。
【００８２】
同様に、中間転写ベルト１２上に作像された画像が搬送されて、転写ローラ２２と作像部３６の感光体とが中間転写ベルト１２を間に挟んで転写する転写位置を通過した後に圧接動作が実行されるように、適切な期間に設定される。
【００８３】
すなわち、転写ローラ１６，１８，２０，２２の圧接動作は、中間転写ベルト１２上に作像された画像と接触しないように順番に圧接されることになる。
【００８４】
そして、圧接動作の処理を終了する（リターン）。
再び、図６を参照して、次に、ＩＤＣセンサ３８にて画像を検知したかどうかを判断する（ステップＳ２５）。具体的には、中間転写ベルト１２上に作像された画像を検知した後、１回転して再び、搬送された画像をＩＤＣセンサ３８にて検知したかどうかを判断する。本例においては、作像された画像が１回転した後、ＩＤＣセンサ３８にて検知される場合を想定しているが、特にこれに限られず、２回転、あるいは３回転した後でも良い。
【００８５】
そして、ステップＳ２５において、ＩＤＣセンサ３８にて画像を検知した場合（ステップＳ２５においてＹＥＳ）には、タイミングを調整して、ＩＤＣセンサ３８にて検知した中間転写ベルト１２上に形成された作像した画像について、記録用紙に転写し、排出する（ステップＳ２６）。したがって、画像の作像中に静音化指示が有った場合でも当該作像中の画像を消去せずに、中間転写ベルト１２上に作像された画像を維持したまま静音モードに移行して、記録用紙に転写させることが可能である。また、通常時の動作から静音モードの動作に移行するにあたり、中間転写ベルト１２の動作を停止することなく調整する。すなわち、効率的かつ、高速に静音モードの画像形成を実行することが可能である。
【００８６】
そして、次に、プリント残枚数がないかどうかを判断する（ステップＳ２７）。
ステップＳ２７において、プリント残枚数がないと判断した場合（ステップＳ２７においてＹＥＳ）には、処理を終了する（エンド）。
【００８７】
一方、ステップＳ２７において、プリント残枚数があると判断した場合（ステップＳ２７においてＮＯ）には、作像を開始する（ステップＳ２８）。具体的には、上述した圧接動作により、転写ローラが中間転写ベルト１２に圧接されているため上述したのと同様の方式に従って作像部３０，３２，３４，３６のイエローの画像、マゼンタの画像、シアンの画像およびブラックの画像をそれぞれ中間転写ベルト１２を移動させて重ね合わせることにより中間転写ベルト１２にカラー画像を形成する動作を開始する。なお、上述したように画像の作像の動作速度は通常時よりも低速にしているため静音化したカラーの画像形成が可能となる。
【００８８】
そして、再び、ステップＳ２６に戻り、記録用紙に転写し、排出する。そして、再び、プリント残枚数を判断し、プリント残枚数が０となるまで当該処理を繰り返す。
【００８９】
本実施の形態に従う静音モードにおいては、中間転写ベルトのスピードを調整する際、すなわち、画像の作像の動作速度を調整する際、複数の転写ローラを順番に離間する。したがって、順番に転写ローラが離間するため複数の転写ローラが一斉に動作する時に生じる大きな稼動音を抑制することが可能となる。また、画像の作像の動作速度を調整する際、複数の転写ローラを順番に圧接する。したがって、順番に転写ローラが圧接するため複数の転写ローラが一斉に動作する時に生じる大きな稼動音を抑制することが可能となる。
【００９０】
なお、本例においては、プリントスタートが有った後に、静音化指示が入力された場合について説明した。プリントスタート前に、静音化指示が有る場合には、最初から静音モードの画像の作像の動作速度に設定すればよいため、画像の作像の動作速度を調整する等の必要がなく、上述した作像部の離間動作および圧接動作を実行する必要はない。
【００９１】
（変形例）
図１０は、本発明の実施の形態１の変形例に従う画像形成部１５０の転写ローラの圧接および離間を説明する図である。
【００９２】
図１０を参照して、ここでは、複数の作像部３０，３２，３４，３６とともに、中間転写ベルト１２との位置関係が示されており、転写ローラ１６，１８について離間動作が実行された場合について説明する。
【００９３】
具体的には、モータ４３，４５のそれぞれをモータ駆動部５５により駆動して転写ローラ１６，１８，２０，２２を上方に移動させる。具体的には、モータ４３は、転写ローラ１６，１８をともに駆動する。また、モータ４５は、転写ローラ２０，２２をともに駆動する。これに伴い、中間転写ベルト１２が作像部３０，３２，３４，３６の感光体から離れることになる。なお、本例においては、既に転写ローラ１６，１８が上方に移動して、中間転写ベルト１２と作像部３０，３２の感光体が離れた場合が示されている。
【００９４】
なお、本例においては、転写ローラ１６等が上方に移動して、中間転写ベルト１２から作像部および転写ローラが離間する場合について説明しているが、上述したように、２次転写する転写ローラ２４もモータ２５により移動して転写位置から離間する。
【００９５】
すなわち、図５においては、転写ローラ１６，１８，２０，２２がそれぞれ別々に駆動されて１つずつ上方に移動させることにより離間動作を実行するときに生じる大きな稼動音の発生を抑制する場合について説明したが、図１０においては、２つずつ上方に移動させることにより大きな稼動音の発生を抑制する。
【００９６】
図１１は、本発明の実施の形態１の変形例に従う離間動作について説明するフロー図である。
【００９７】
図１１を参照して、まず、ＩＤＣセンサにて画像を検知したかどうかを判断する（ステップＳ３２）。すなわち、作像した画像をＩＤＣセンサ３８で検知したかどうかを判断する。
【００９８】
ステップＳ３２において、ＩＤＣセンサにて画像を検知していないと判断した場合（ステップＳ３２においてＮＯ）には、待機する。
【００９９】
ステップＳ３２において、ＩＤＣセンサにて画像を検知した場合（ステップＳ３２においてＹＥＳ）には、次に、２次転写する転写ローラの離間動作を実行する（ステップＳ３４）。具体的には、モータ２５による転写ローラ２４の離間動作を実行する。当該動作により、中間転写ベルト１２上に作像した画像を搬送した際に、転写ローラ２４と接触して画像が乱れたりすることを防止することができる。
【０１００】
そして、次に、１次転写する転写ローラの離間動作を実行する（ステップＳ３７）。具体的には、転写ローラ１６，１８とを共に上方に移動させて、その後、転写ローラ２０，２２を共に上方に移動させて中間転写ベルト１２と離間させる。当該１次転写する転写ローラの離間動作によりＩＤＣセンサを通過した作像した画像が転写ローラ１６等と接触せず、作像した画像が消えることなく中間転写ベルト１２上に作像された状態を維持することが可能である。
【０１０１】
そして、離間動作の処理を終了する（リターン）。
また、ここでは、離間動作について説明したが、圧接動作についても同様の方式に従って圧接する。具体的には、転写ローラ１６，１８を共に下方に移動させて、その後、転写ローラ２０，２２を共に下方に移動させて中間転写ベルト１２と圧接させる。
【０１０２】
その他の処理の流れについては上記で説明したのと同様であるのでその詳細な説明は繰り返さない。
【０１０３】
本実施の形態の変形例に従う静音モードにおいても、中間転写ベルトのスピードを調整する際、すなわち、画像の作像の動作速度を調整する際、複数の転写ローラの一部ずつを順番に離間する。したがって、順番に転写ローラが離間するため複数の転写ローラが一斉に動作する時に生じる大きな稼動音を抑制することが可能となる。また、画像の作像の動作速度を調整する際、複数の転写ローラの一部ずつを順番に圧接する。したがって、順番に転写ローラが圧接するため複数の転写ローラが一斉に動作する時に生じる大きな稼動音を抑制することが可能となる。
【０１０４】
なお、本例においては、カラープリントの場合における転写ローラの離間および圧接動作について説明したが、モノクロプリントの場合においても転写ローラ２２における離間および圧接動作についても同様に実行することが可能であり、ゆっくりと離間動作および圧接動作を実行することにより稼動音を低く抑えることが可能である。
【０１０５】
（実施の形態２）
上記の実施の形態１においては、プリントを開始した場合に、その後静音化指示が有った場合について説明した。
【０１０６】
本実施の形態２においては、静音化指示が有った後にすなわち静音モードである場合において、カラー印刷のジョブの後にモノクロ印刷のジョブの実行指示があった場合、あるいは、モノクロ印刷のジョブの後にカラー印刷のジョブの実行指示があった場合の処理について説明する。
【０１０７】
図１２は、本発明の実施の形態２に従う画像形成部１５０の作像動作の流れを説明するフロー図である。具体的には、制御部５０がメモリ７０に格納されたプログラムを読み込むことにより実現されるものとする。
【０１０８】
まず、静音化指示が有るかどうかを判断する（ステップＳ５０）。具体的には、上述した図３の操作ディスプレイ１０１における静音ボタン１１０の押下が有ったかどうかを判断する。静音化指示が無い場合、すなわち静音モードでない場合（ステップＳ５０においてＮＯ）には、ステップＳ６２に進む。すなわち、通常時の処理を実行する。
【０１０９】
ステップＳ５０において、静音化指示が有った場合、すなわち静音モードである場合（ステップＳ５０においてＹＥＳ）には、次に、カラーからモノクロへの切り替え指示が有ったかどうかを判断する（ステップＳ５２）。具体的には、カラー印刷のジョブの後におけるモノクロ印刷のジョブによる制御部５０の切り替え指示が有るかどうかを判断する。
【０１１０】
ステップＳ５２において、カラーからモノクロへの切り替えの指示が有った場合（ステップＳ５２においてＹＥＳ）には、１次転写の転写ローラの離間動作を実行する（ステップＳ５４）。
【０１１１】
具体的には、図５で説明したように、カラーからモノクロへの切り替えの指示に従ってモータ４０，４２，４４のそれぞれをモータ駆動部５５により駆動して転写ローラ１６，１８，２０を上方に移動させる。これに伴い、中間転写ベルト１２が作像部３０，３２，３４の感光体から離れることになる。なお、モノクロであるため転写ローラ２２は上方に移動しない。また、この場合、２次転写する転写ローラ２４は転写位置から離間しない。
【０１１２】
その際、イエロー、マゼンタ、シアンのそれそれの作像部３０，３２，３４に対応する転写ローラ１６，１８，２０をそれぞれ順番に離間する。
【０１１３】
そして、プリント処理を実行する（ステップＳ５６）。
すなわち、ブラックの作像部３６および転写ローラ２２に従ってモノクロ印刷のジョブを実行する。
【０１１４】
一方、ステップＳ５２において、カラーからモノクロへの切り替えの指示が無かった場合（ステップＳ５２においてＮＯ）には、モノクロからカラーへの切り替えの指示が有ったかどうかを判断する（ステップＳ５８）。
【０１１５】
具体的には、モノクロ印刷のジョブの後のカラー印刷のジョブによる制御部５０の切り替え指示が有るかどうかを判断する。
【０１１６】
ステップＳ５８において、モノクロからカラーへの切り替えの指示が有った場合（ステップＳ５８においてＹＥＳ）には、１次転写の転写ローラの圧接動作を実行する（ステップＳ６０）。
【０１１７】
具体的には、図４で説明したように、モノクロからカラーへの切り替えの指示に従ってモータ４０，４２，４４のそれぞれをモータ駆動部５５により駆動して転写ローラ１６，１８，２０を下方に移動させる。そして、中間転写ベルト１２を押し下げて、中間転写ベルト１２を間に挟んで作像部３０，３２，３４のそれぞれの感光体に対して転写ローラ１６，１８，２０を押圧する。すなわち、転写ローラ１６，１８，２０，２２が中間転写ベルト１２を間に挟んで作像部３０，３２，３４，４６に押圧した状態となる。
【０１１８】
そして、プリント処理を実行する（ステップＳ５６）。当該状態で作像部３０，３２，３４，３６をそれぞれ駆動することによりイエロー、マゼンタ、シアン、ブラックのそれぞれの作像された画像が中間転写ベルト１２上に転写され、カラー印刷のジョブを実行する。
【０１１９】
一方、ステップＳ５８において、モノクロからカラーへの切り替えの指示が無かった場合（ステップＳ５８においてＮＯ）には、色の切り替えは無いと判断して通常の静音モードにおけるプリント処理を実行する（ステップＳ５６）。
【０１２０】
そして、処理を終了する（エンド）。
一方、ステップＳ５０において、静音化指示が無い場合、すなわち通常モードである場合（ステップＳ５０においてＮＯ）には、次に、カラーからモノクロへの切り替え指示が有ったかどうかを判断する（ステップＳ６２）。具体的には、カラー印刷のジョブの後のモノクロ印刷のジョブによる制御部５０の切り替え指示が有るかどうかを判断する。
【０１２１】
ステップＳ６２において、カラーからモノクロへの切り替えの指示が有った場合（ステップＳ６２においてＹＥＳ）には、１次転写の転写ローラの離間動作を実行する（ステップＳ６４）。
【０１２２】
具体的には、カラーからモノクロへの切り替えの指示に従ってモータ４０，４２，４４のそれぞれをモータ駆動部５５により一斉に駆動して転写ローラ１６，１８，２０を上方に移動させる。これに伴い、中間転写ベルト１２が作像部３０，３２，３４の感光体から離れることになる。なお、モノクロであるため転写ローラ２２は上方に移動しない。また、この場合、２次転写する転写ローラ２４は転写位置から離間しない。
【０１２３】
そして、プリント処理を実行する（ステップＳ５６）。
すなわち、ブラックの作像部３６および転写ローラ２２に従ってモノクロ印刷のジョブを実行する。
【０１２４】
一方、ステップＳ６２において、カラーからモノクロへの切り替えの指示が無かった場合（ステップＳ６２においてＮＯ）には、モノクロからカラーへの切り替えの指示が有ったかどうかを判断する（ステップＳ６６）。具体的には、モノクロ印刷のジョブの後にカラー印刷のジョブによる制御部５０の切り替え指示が有るかどうかを判断する。
【０１２５】
ステップＳ６６において、モノクロからカラーへの切り替えの指示が有った場合（ステップＳ６６においてＹＥＳ）には、１次転写の転写ローラの圧接動作を実行する（ステップＳ６８）。
【０１２６】
具体的には、モノクロからカラーへの切り替えの指示に従ってモータ４０，４２，４４のそれぞれをモータ駆動部５５により一斉に駆動して転写ローラ１６，１８，２０を下方に移動させる。そして、中間転写ベルト１２を押し下げて、中間転写ベルト１２を間に挟んで作像部３０，３２，３４のそれぞれの感光体に対して転写ローラ１６，１８，２０を押圧する。すなわち、転写ローラ１６，１８，２０，２２が中間転写ベルト１２を間に挟んで作像部３０，３２，３４，４６に押圧した状態となる。
【０１２７】
そして、プリント処理を実行する（ステップＳ５６）。当該状態で作像部３０，３２，３４，３６をそれぞれ駆動することによりイエロー、マゼンタ、シアン、ブラックのそれぞれの作像された画像が中間転写ベルト１２上に転写され、カラー印刷のジョブを実行する。
【０１２８】
一方、ステップＳ６６において、モノクロからカラーへの切り替えの指示が無かった場合（ステップＳ６６においてＮＯ）には、色の切り替えは無いと判断して通常時におけるプリント処理を実行する（ステップＳ５６）。
【０１２９】
そして、処理を終了する（エンド）。
本実施の形態２に従う方式においては、通常時のプリント処理については、カラー印刷のジョブの後におけるモノクロ印刷のジョブの実行指示があった場合、あるいは、モノクロ印刷のジョブの後にカラー印刷のジョブの実行指示があった場合には、１次転写の転写ローラの離間動作および１次転写の転写ローラの圧接動作を一斉に実行することにより高速な切り替えを実行して効率的なプリント処理を実行する。一方、静音モード時のプリント処理については、カラー印刷のジョブの後にモノクロ印刷のジョブの実行指示があった場合、あるいは、モノクロ印刷のジョブの後にカラー印刷のジョブの実行指示があった場合には、１次転写の転写ローラの離間動作および１次転写の転写ローラの圧接動作を一斉ではなく順番に実行することにより一斉に動作する時に生じる大きな稼動音を抑制して静音化を図ることができる。
【０１３０】
なお、コンピュータ（ＣＰＵ）を機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１３１】
なお、プログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１３２】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１３３】
提供されるプログラム製品は、ハードディスクなどのプログラム格納部にインストールされて実行される。なお、プログラム製品は、プログラム自体と、プログラムが記録された記録媒体とを含む。
【０１３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３５】
１  画像形成装置、１０，１４  ローラ、１２  中間転写ベルト、１６，１８，２０，２２，２４  転写ローラ、２５，４０，４２，４３，４４，４５，４６  モータ、３０，３２，３４，３６  作像部、３８  ＩＤＣセンサ、４０  定着部、５０  制御部、５５  モータ駆動部、７０  メモリ、１００  入力部、１０１  操作ディスプレイ、１０２  表示部、１５０  画像形成部、２００，２０２  給紙カセット。
【図１】
2012108241.tif 000003
【図２】
2012108241.tif 000004
【図３】
2012108241.tif 000005
【図４】
2012108241.tif 000006
【図５】
2012108241.tif 000007
【図６】
2012108241.tif 000008
【図７】
2012108241.tif 000009
【図８】
2012108241.tif 000010
【図９】
2012108241.tif 000011
【図１０】
2012108241.tif 000012
【図１１】
2012108241.tif 000013
【図１２】
2012108241.tif 000014